(57)【要約】【課題】扉の枠材に積層材を用いた場合でも、十分な強度を有する扉構造を提供すること。【解決手段】横枠３が積層材から形成され、横枠３端部の竪枠２接合部に、横枠３端部を覆う補強部材５を設け、補強部材５に組み合わされた締結部材６によって竪枠２と横枠３を緊締する。【選択図】図３
2008075412.tif 000002
【特許請求の範囲】
【請求項１】
横枠が積層材から形成され、横枠端部の竪枠接合部に、横枠端部を覆う補強部材を設け、補強部材に組み合わされた締結部材によって竪枠と横枠を緊締したことを特徴とする扉構造。
【請求項２】
補強部材を、断面コ字状の部材としたことを特徴とする請求項１記載の扉構造。
【請求項３】
竪枠に当接する補強部材の面に、取り付け用のねじ穴を設けたことを特徴とする請求項１又は２記載の扉構造。
【請求項４】
横枠端部に切欠部分を設け、横枠表面と補強部材表面を同一面としたことを特徴とする請求項１、２又は３記載の扉構造。
【発明の詳細な説明】
【技術分野】
【０００１】
本発明は、扉構造に関し、特に、扉の横枠材に積層材を用いた扉構造の改良に関するものである。
【背景技術】
【０００２】
扉は、図６〜図７に示すように、２本の竪枠２、２と、上枠３ａ、下枠３ｂ及び中桟３ｃの横枠（後述の横方向の中桟３ｄを含め、総称して、「横枠３」という。）とからなり、さらに、中央にガラス窓Ｗを設ける場合には、縦方向の中桟２ａ、２ａ及び横方向の中桟３ｄを設けるようにしている。
そして、竪枠２、２の側面に、上枠３ａ、下枠３ｂ、中桟３ｃ、３ｄの端部を突き当て、釘、木ねじ、ビス、ボルト、タッカー等の締結部材６によって枠組みし、このように枠組みした枠材１０に化粧板４やガラス窓Ｗを取り付けるようにしている。
ところで、扉の枠材１０の材料としては、従来、無垢材や集成材が使用されていたが、加工精度の向上や自然資源の保護の観点から、近年、積層材が使用されるようになってきている。
【０００３】
しかしながら、積層材は、繊維方向を平行に積層接着した単板を、互い違いに直交させて積層接着した合板であるため、扉の枠材１０の材料として、このような積層材を使用した場合、長さ方向の強度には特に問題は生じないものの、竪枠２、２と横枠３とを釘、木ねじ、ビス、ボルト、タッカー等の締結部材６によって枠組みを行うに際して、横枠３の端面から割れが生じ、十分な接合ができず、このため、枠組として完成した後に、化粧板４を貼り付ける工程に移行する際に、枠組が崩れる等、十分な強度が確保できないことが多く、また、化粧板４を貼り付けた後の完成した扉においても、枠材１０の強度不足によって、枠材１０に歪みが生じ、扉の開閉に支障をきたす等の問題があった。
【発明の開示】
【発明が解決しようとする課題】
【０００４】
本発明は、上記従来の扉の横枠材が有する問題点に鑑み、扉の横枠材に積層材を用いた場合でも、十分な強度を有する扉構造を提供することを目的とする。
【課題を解決するための手段】
【０００５】
上記目的を達成するため、本発明の扉構造は、横枠が積層材から形成され、横枠端部の竪枠接合部に、横枠端部を覆う補強部材を設け、補強部材に組み合わされた締結部材によって竪枠と横枠を緊締したことを特徴とする。
【０００６】
この場合において、補強部材を、断面コ字状の部材とすることができる。
【０００７】
また、竪枠に当接する補強部材の面に、取り付け用のねじ穴を設けることができる。
【０００８】
また、横枠端部に切欠部分を設け、横枠表面と補強部材表面を同一面とすることができる。
【発明の効果】
【０００９】
本発明の扉構造によれば、横枠が積層材から形成され、横枠端部の竪枠接合部に、横枠端部を覆う補強部材を設け、補強部材に組み合わされた締結部材によって竪枠と横枠を緊締することにより、竪枠と横枠とを接合したときに、ビス等がねじ込まれても積層材に割れが生じることがなく、十分な強度をもった扉の枠材を提供することができる。
【００１０】
また、補強部材を、断面コ字状の部材とすることにより、例えば、補強部材を、金属製の板材を曲げ加工したり、金属材を押出成形することや合成樹脂材を削り出し成形することによって、容易に製作することができる。
【００１１】
また、竪枠に当接する補強部材の面に、取り付け用のねじ穴を設けることにより、竪枠と横枠との接合強度を十分に確保することができる。
【００１２】
また、横枠端部に切欠部分を設け、横枠表面と補強部材表面を同一面とすることにより、枠材端部に段差をなくすことができ、扉にガラス窓やガラリを取り付ける場合に、その取付作業を容易に行うことができる。
【発明を実施するための最良の形態】
【００１３】
以下、本発明の扉構造の実施の形態を、図面に基づいて説明する。
【実施例１】
【００１４】
図１〜図３に、本発明の扉構造の第１実施例を示す。
この扉１は、従来と同様、２本の竪枠２、２と、上枠３ａ、下枠３ｂ及び中桟３ｃの横枠３とからなり、さらに、中央にガラス窓Ｗを設ける場合には、縦方向の中桟２ａ、２ａ及び横方向の中桟３ｄを設けるようにしている。
【００１５】
この扉１は、横枠３の端部、本実施例においては、さらに、縦方向の中桟２ａ、２ａの端部に、これら端部を覆う補強部材５を配設するようにしている。
【００１６】
補強部材５は、横枠３や中桟２ａの端部を覆うことのできる構造のものであれば、特にその構成や製作方法は限定されず、例えば、鋼、ステンレス、アルミニウム等の金属製の板材を断面コ字状に曲げ加工したり、アルミニウム等の金属材を押出成形するほか、合成樹脂材を削り出し成形することによって、容易に製作することができる。
なお、補強部材５の材質は、特に限定されるものではないが、積層材からなる横枠３や中桟２ａの端部にビス、タッピングねじ等の締結部材６がねじ込まれても、積層材からなる横枠３や中桟２ａに割れが生じることを抑え込むことのできる強度があればよい。
【００１７】
竪枠２、２に当接する補強部材５の面には、取り付け用のねじ穴（雌ねじ穴）５ａを設けることができる。
これによって、竪枠２の外面から取り付けるビス等の締結部材６は、ねじ穴５ａと螺合し、さらに、本実施例においては、締結部材６の先端が円錐形状とされており、締結部材６の先端が横枠３の端部から入り込む場合には横枠３を覆っている補強部材５の横枠３への結合力が増加される。
【００１８】
横枠３と補強部材５との接合は、補強部材５の内面に接着剤を塗布して接合するようにしたり、図３に示すように横枠３の端部の高さ方向の寸法Ｌ１を補強部材５の開口寸法Ｌ２よりも若干大きく形成して、締まり嵌めとなるようにするほか、釘、木ねじ等の固定部材Ｂを用いて接合することもできる。
【００１９】
そして、図２〜図３に示すように、この補強部材５を取り付ける横枠３の端部を、補強部材５の厚み分を補強部材５の長さに合わせて削り取ることによって切欠部分３１、３１を形成し、横枠３の表面と補強部材５の表面を同一面とすることが好ましい。
これによって、横枠３の端部に段差をなくすことができ、扉にガラス窓Ｗやガラリを取り付ける場合に、その取付作業を容易に行うことができる。
【実施例２】
【００２０】
図４に、本発明の扉構造の第２実施例を示す。
この扉１は、横枠３の端部に取り付ける補強部材５の形状を、１面を挿入口５ｂとして開口した箱状に形成したものである。
この場合、横枠３の表面と補強部材５の表面とを同一面とする場合には、横枠３の端部は、切欠部分３１、３１のほかに、他の２面にも補強部材５の厚みに応じた切欠部分３２、３２を形成するようにする。
このように、枠材１０を箱状に形成することにより、補強部材５によって、横枠３の端部の周面全体を拘束でき、竪枠２と横枠３との接合をより強固なものとすることができる。
【実施例３】
【００２１】
図５に、本発明の扉構造の第３実施例を示す。
この扉１は、竪枠２、２と横枠３との接合に締結部材７を用いるようにしている。
【００２２】
この締結部材７は、竪枠２、２に当接する補強部材５の面に溶接等の適宜手段で取り付けた雄ねじ部材７１と、雄ねじ部材７１に螺合するナット７２とからなる。
そして、竪枠２、２と横枠３との接合は、雄ねじ部材７１を竪枠２、２に設けた穴７０に通し、ナット７２を雄ねじ部材７１に締結することによって両者を緊締するようにしている。
この場合、ナット７２の頭部が竪枠２、２から突出することがないように、ナット７２を穴７０の座ぐり部分７０ａに落とし込むようにする。このため、ナット７２にはナット回動用の操作部７２ａ、７２ａを設け、この操作部７２ａ、７２ａに適宜の回動用治具（図示省略）を装着してナット７２を回動するようにしている。なお、７３は座金を示す。
【００２３】
以上、本発明の扉構造について、複数の実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の扉構造は、積層材からなる枠材の端部に補強材を取り付けることによって、竪枠と横枠の接合の強度を確保し、扉全体の剛性を高めることができるという特性を有していることから、扉の横枠材に積層材を用いる扉の用途に好適に用いることができる。
【図面の簡単な説明】
【００２５】
【図１】本発明の扉構造の第１実施例を示す扉の正面図である。
【図２】図１のＡ部の断面拡大図である。
【図３】竪枠と横枠の連結構造を示す説明図である。
【図４】本発明の扉構造の第２実施例を示す竪枠と横枠の連結構造の説明図である。
【図５】本発明の扉構造の第３実施例を示す説明図である。
【図６】従来の扉の正面図である。
【図７】図６のＢ部の断面拡大図である。
【符号の説明】
【００２６】
１    扉
２    竪枠
３    横枠
３１  切欠部分
５    補強部材
５ａ  ねじ穴
６    締結部材
７    締結部材
【図１】
2008075412.tif 000003
【図２】
2008075412.tif 000004
【図３】
2008075412.tif 000005
【図４】
2008075412.tif 000006
【図５】
2008075412.tif 000007
【図６】
2008075412.tif 000008
【図７】
2008075412.tif 000009